(57)【特許請求の範囲】
【請求項１】
梱包箱本体が備える表示器の収納取出口に蓋部を開閉可能に設けた梱包箱において、収納取出口の隣接する二辺それぞれの２つの蓋部の一方に表示器を保持した状態で両蓋部を閉じて当該表示器を梱包可能とするとともに、両蓋部を開く過程で当該一方の蓋部を他方の蓋部で係合させて表示器の表示面を所定の傾斜角度に露出かつ維持可能となして当該梱包箱を表示器用スタンドの代用とすることができるようになっている、ことを特徴とする梱包箱。
【発明の詳細な説明】
【技術分野】
【０００１】
本発明は、梱包箱本体が備える表示器の収納取出口に蓋部を開閉可能に設けた梱包箱に関するものであり、詳しくは各種の制御対象機器の動作状況を表示したり、制御対象機器の動作を制御するための操作を行う表示器を運搬する際に利用する表示器用梱包箱に関する。
【背景技術】
【０００２】
表示器には、プログラマブル表示器（単に表示器）と称するものがある。この表示器は、制御対象機器の動作状況を表示する表示機能や制御対象機器の動作を制御するための操作を行う操作機能を備えたものであり、制御盤等の設置場所に組み込む際には、その組み込み直前に初期設定等の各種操作を行う必要がある。そのため、制御盤などの設置箇所に組み付ける前には、表示器を梱包箱の収納取出口から取り出し、初期設定するのであるが、梱包箱から取り出しての設定操作はしづらく、また、表示部の画面も見にくい。これを解消するために表示器用スタンドを準備することが考えられるが、わざわざ、表示器を梱包箱から取り出しては表示器用スタンドに立てかけて設定操作するのも面倒である。そのため、従来技術には、梱包箱とは別体である緩衝材を表示器用スタンドに組み上げて、取り出した表示器を所望の立ち姿勢に保持することが提案されている（特許文献１参照）。
【０００３】
しかしながら、この従来技術では、段ボール紙を複雑な形状に打抜き加工して折り重ねたものであり、梱包箱内部で複雑に折り重ねられて収納されている緩衝材を取り出して表示器用スタンド形状に組み立てた後、発泡スチロールなどの緩衝材で囲まれた表示器を取り出し、その組み立てた表示器用スタンドの保持窓に表示器を嵌め付ける操作を行わねばならず、実際に表示器を操作することができる状態にするまでには多くの作業が要求されており、そのうえ、表示器用スタンドに利用するために緩衝材を特殊な形状に形成する必要があるから、緩衝材の製作に極めて高価な金型が必要となり、梱包コストが極めて高くならざるを得ない、という課題がある。
【特許文献１】特開２０００−２８１７号公報
【発明の開示】
【発明が解決しようとする課題】
【０００４】
本発明により解決すべき課題は、梱包箱に梱包している表示器に対して初期設定等の操作を簡単、迅速、安価に実施することができるようにすることである。
【課題を解決するための手段】
【０００５】
本発明による梱包箱は、梱包箱本体の表示器収納取出口に蓋部を一体に設けた梱包箱において、上記蓋部に表示器を保持した状態で蓋部を閉じて当該表示器を梱包可能とするとともに、その蓋部を開く過程で当該蓋部に保持している表示器の表示面が所定の傾斜角度で露出する位置に維持可能となして当該梱包箱を表示器用スタンドの代用とすることができるようになっていることを特徴とするものである。
【０００７】
上記の場合、収納取出口の隣接する二辺それぞれの２つの蓋部の一方に表示器を保持しかつ両蓋部を開く過程で当該一方の蓋部を他方の蓋部で所定の開き角度で係合させることにより当該梱包箱をより安定した表示器用スタンドとすることができる。
【０００８】
本発明によると、梱包搬入された表示器を制御盤などに組み付ける前に初期設定等の操作を行う場合、梱包箱本体に収納されている表示器を蓋部を開けて表示器収納取出口から取り出す過程で、保持窓に表示器を保持してある蓋部を所定の開き角度で起立させて表示器の表示面を使用者側に向けて傾斜した姿勢で露出させることができるので、当該梱包箱を表示器用スタンドとして、蓋部に保持している表示器に対して初期設定等の操作を容易かつ迅速に行うことが可能である。
【０００９】
本発明では、特に、梱包箱それ自体を表示器用簡易スタンドの代用とすることができるようになっているので、従来技術とは異なって、梱包箱とは別体の緩衝材を表示器用スタンドとして梱包箱内に積み重ねて配置収納しておく必要がない。
【００１０】
本発明はまた、梱包箱それ自体を表示器用簡易スタンドの代用とすることができるようになっているとともに、蓋部に表示器を保持しているので、従来技術とは異なって、梱包箱から緩衝材を表示器用スタンドに組み立てる必要がないとともに表示器を梱包箱から取り出してその表示器用スタンドにセットする必要がない。
【００１１】
したがって、本発明は、従来技術よりも、格段に、簡単、迅速、安価に表示器に対する初期設定等の操作を行うことができる。
【発明の効果】
【００１２】
本発明によれば、梱包箱を開梱する過程で当該梱包箱にて表示器をセットした状態の表示器用スタンドを構成することができるから、梱包箱から表示器を取り出して別途の表示器用スタンドにセットする手間なく、簡単、迅速、安価に表示器に対する初期設定等の操作を行うことができる。
【発明を実施するための最良の形態】
【００１３】
以下、添付した図面を参照して本発明の実施の形態に係る梱包箱を詳細に説明する。
【００１４】
（参考例１）
図１ないし図５に、参考例１に係る梱包箱を示す。図１は同梱包箱の蓋部を開けて梱包箱内部の緩衝材、表示器および保護材を取り出した状態で示す斜視図、図２は梱包箱に表示器を梱包した状態で示す梱包箱の断面図である。
【００１５】
図１を参照して、１は表示器、２は段ボール製の梱包箱、３は緩衝材、４は保護材である。表示器１は、平面視矩形の表示器本体１ａと、表示器本体１ａの外形よりも外側にフランジ状に突出した平面視矩形の薄型表示部１ｂとを備え、この薄型表示部１ｂに液晶表示パネル１ｃが組み込まれている。
【００１６】
梱包箱２は、梱包箱本体２ａと、梱包箱本体２ａの収納取出口（開口部）の対向する左右２辺それぞれに内蓋部２ｂ、別の対向する前後２辺のうちの一方に外蓋部２ｃ、その対向する前後２辺のうちの他方に中蓋部２ｄを備えている。これら蓋部２ｂ，２ｃ，２ｄはフラップ形状となっている。
【００１７】
中蓋部２ｄの基部には、折り込み可能な屈折辺２ｅが備えられており、この屈折辺２ｅを梱包箱２の側壁内面に折り重ねた状態で、中蓋部２ｄ全体が梱包箱開口部に嵌め込まれるようになっている。中蓋部２ｄ中央には、表示器１の表示器本体１ａの外形形状に合わせた表示器装着窓５が形成されている。表示器１はその表示器本体１ａが表示器装着窓５に嵌め込まれることにより中蓋部２ｄに保持される。外蓋部２ｃの遊端には係合片６が延出されている。中蓋部２ｄの遊端部には、外蓋部２ｃの係合片６が差込み係合される係合スリット７が形成されている。中蓋部２ｄの左右端辺と緩衝材３の左右上縁には指入れ用の凹部８，９が形成されている。緩衝材３は表示器１の表示器本体１ａの収納が可能な深さを有する凹部３ａを備えている。
【００１８】
以上の構成を備えた参考例の梱包箱２において、表示器１を梱包箱２に梱包する作業を説明すると、まず、緩衝材３を梱包箱本体２ａに収納し、中蓋部２ｄの表示器装着窓５に表示器１の表示器本体１ａを嵌め込んだ状態で中蓋部２ｄを梱包箱本体２ａに折り込むと、表示器１は、その表示器本体１ａが緩衝材３の凹部３ａに収納された状態で梱包箱本体２ａに収納される。この場合、中蓋部２ｄが屈折辺２ｅを有することにより表示器１は梱包箱本体２ａ内に落ち込んだ位置に水平姿勢で保持される。そして、中蓋部２ｄの上に保護材４を載置した後、内蓋部２ｂを内側に折込み、次いで、外蓋部２ｃを内側に折り込む。このようにして、表示器１は図２で示すように梱包箱２に梱包される。
【００１９】
このようにして表示器１が梱包されている梱包箱２から表示器１を取り出して制御盤等に組み付ける前に表示器１に対して初期設定作業を行うため、梱包箱２を表示器１のスタンドとして用いる場合を図２ないし図５を参照して説明する。
【００２０】
先ず、図２で示すように表示器１が梱包されている梱包箱２に対して図３で示すように外蓋部２ｃを折り出し、次いで、左右の内蓋部２ｂを折り出すことにより、開放された梱包箱本体２ａの開口部から保護材４を取り除き、次いで、表示器１を保持した状態で中蓋部２ｄを折り上げる。この折り上げに際しては中蓋部２ｄの凹部８と緩衝材４の凹部９に手指を入れて行う。そして、図４および図５で示すように折り出し起立させた中蓋部２ｄと外蓋部２ｃとを山形（三角筒状）に突き合わせた姿勢で、外蓋部２ｃの係合片６を中蓋部２ｄの係合スリット７に差込み係合することにより、表示器１は使用者が操作し易くかつ表示部１ｂが視認し易い斜め姿勢に保持される。
【００２１】
（参考例２）
図６ないし図８に参考例２に係る梱包箱を示す。図６は表示器１を梱包している梱包箱２の断面図、図７は表示器用スタンドとして用いている梱包箱２の断面図、図８は図７の斜視図である。これらの図において、図１ないし図５と対応する部分には同一の符号を付し、その同一の符号に係る部分についての詳細は略する。参考例２では、中蓋部２ｄに前後左右の周壁部と底壁とを一連に形成してなる中箱部２ｆを連設し、この中箱部２ｆの内部に緩衝材３を収容している。中蓋部２ｄの遊端部と中箱部２ｆの周壁部とが繋がる部位に外蓋部２ｃの係合片６を差し入れる前記係合スリット７を形成するとともに、梱包箱２の前側開口辺には梱包時に外蓋部２ｃの係合片６を差し入れるスリット１０を形成している。梱包時には、中箱部２ｆの前後に発泡スチロール製のスペーサ１１，１２を挿入して表示器１が梱包箱２内でがたつかないようにしている。
【００２２】
上記構成において、梱包箱２を表示器１のスタンドとする場合、先ず、外蓋部２ｃを折り出し、次いで内蓋部２ｂを折り出し、次いでスペーサ１２を抜き出す。次に、中蓋部２ｄおよび中箱部２ｆを折り出し、起立した中蓋部２ｄと外蓋部２ｃとを山形（三角筒状）に突き合わせた姿勢で、外蓋部２ｃの係合片６を中蓋部２ｄの係合スリット７に差込み係合する。これによって表示器１は使用者が操作し易くかつ表示部１ｂが視認し易い斜め姿勢に保持される。この場合、中箱部２ｆおよび緩衝材３の適所には、表示器本体１ａの入出力ポートに臨む開口を開けておくことが好ましい。
【００２３】
（実施の形態３）
図９を参照して実施の形態３に係る梱包箱２を説明する。実施の形態３の梱包箱２においては、内蓋部２ｂの前側の角部に係合片６が設けられるとともに、中蓋部２ｄの左右に前記係合片６が差し込み係合される係合スリット７が形成され、折り起こした中蓋部２ｄを左右の内蓋部２ｂで係合支持して起立姿勢に保持させるようになっている。なお、この場合、左右の内蓋部２ｂの後端を上記と同様な係合手段で外蓋部２ｃに係合支持させると、中蓋部２ｄの起立強度が更に高いものとなる。
【図面の簡単な説明】
【００２４】
【図１】本発明の参考例１に係る梱包箱を分解して示す斜視図である。
【図２】参考例１の梱包箱の断面図である。
【図３】参考例１の梱包箱を蓋部を開いた状態で示す斜視図である。
【図４】参考例１の梱包箱を表示器用スタンドにして示す斜視図である。
【図５】図４の側面図である。
【図６】本発明の参考例２に係る梱包箱の断面図である。
【図７】参考例２の梱包箱を表示器用スタンドにして示す側面図である。
【図８】参考例２の梱包箱を表示器用スタンドにして示す斜視図である。
【図９】実施の形態３の梱包箱を表示器用スタンドにして示す斜視図である。
【符号の説明】
【００２５】
１  表示器
２  梱包箱
２ａ  梱包箱本体
２ｂ  内蓋部
２ｃ  外蓋部
２ｄ  中蓋部
３  緩衝材
４  保護材
５  保持窓
６  係合片
７  係合スリット
【図１】
0004814565.tif 000002
【図２】
0004814565.tif 000003
【図３】
0004814565.tif 000004
【図４】
0004814565.tif 000005
【図５】
0004814565.tif 000006
【図６】
0004814565.tif 000007
【図７】
0004814565.tif 000008
【図８】
0004814565.tif 000009
【図９】
0004814565.tif 000010